Podtech/llm-jp-corpus-v4-ja_patent huggingface dataset:
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
多軸ロボットによりワークを取り出し、パレット上に積載するパレタイズ装置であって、
パレットを載置し移動させるためのコンベアと、
前記コンベア上を跨いで配置され、前記コンベアの搬送方向に推力を有するステージと、
前記ステージ上に設置した多軸ロボットと、
を有することを特徴とするパレタイズ装置。
【請求項２】
前記多軸ロボットがステージ上でコンベアとほぼ直行する方向に移動可能に設置されていることを特徴とする請求項１記載のパレタイズ装置。
【請求項３】
前記ステージは、パレット移載爪およびパレット押し出しユニットを有することを特徴とする請求項１または２記載のパレタイズ装置。
【請求項４】
前記ワークを積載した前記パレットは無人車による自動引き取りが可能であることを特徴とする請求項１乃至３のいずれか１項に記載のパレタイズ装置。
【請求項５】
前記多軸ロボットにより取り出される前記ワークを取り出し位置まで搬送するワーク取出しステーションを有することを特徴とする請求項１乃至４のいずれか１項に記載のパレタイズ装置。
【請求項６】
前記パレットはタブ付きシートパレットを担持可能であり、前記ワークは前記パレットに担持された前記シートパレット上に積載されることを特徴とする請求項１乃至５のいずれか１項に記載のパレタイズ装置。
【請求項７】
前記パレタイズ装置は、前記パレット上に前記シートパレットを供給するため前記シートパレットを保持するパレットマガジンを備えていることを特徴とする請求項６に記載のパレタイズ装置。
【請求項８】
コンベア上のパレットの搬送方向を跨いで移動可能なステージに固定された多軸ロボットによりワークをパレット上に積載するパレタイズ方法であって、
コンベア上にパレットを載置すること、
ワーク取り出しステーションから多軸ロボットによりワークを取り出すこと、
ステージをパレット方向に移動し、パレットの搬送方向前方側にワークを積み付けること、
パレットの前方側のワークの積み付け終了後、ステージを搬送方向後方に移動すること、
パレットの搬送方向後方側にワークを積み付けること、
をこの順で行うことを特徴とするパレタイズ方法。
【請求項９】
パレットの搬送方向後方側にワークを積み付け終了後、ステージの推力によりワーク積み付けが完了したパレットを搬送方向前方に送ることを特徴とする請求項８に記載のパレタイズ方法。
【請求項１０】
前記パレットはタブ付きシートパレットを担持可能であり、前記ワークは前記パレットに担持された前記シートパレット上に積載されることを特徴とする請求項８または９に記載のパレタイズ方法。
【請求項１１】
前記シートパレットは、パレットマガジンから前記パレット上に供給されることを特徴とする請求項１０に記載のパレタイズ方法。
【請求項１２】
パレットの搬送方向後方側にワークを積み付け終了後、搬送方向前方に送る際に前記シートパレットのタブが折り曲げられることを特徴とする請求項１０または１１に記載のパレタイズ方法。
【請求項１３】
ステージの推力によりワーク積み付けが完了したパレットを搬送方向前方に送る際に、前記シートパレットのタブが折り曲げられることを特徴とする請求項１２に記載のパレタイズ方法。
【手続補正書】
【提出日】平成27年2月19日(2015.2.19)
【手続補正１】
【補正対象書類名】明細書
【補正対象項目名】０００７
【補正方法】変更
【補正の内容】
【０００７】
前述した目的を達成するために、請求項１の発明は、
クランクケースと、該クランクケースに結合されたシリンダと、該シリンダ内を摺動するピストンと、を備える内燃機関に対して、前記ピストンのクランクケース側に臨む裏側部分に向けて、前記クランクケースに形成した挿入孔に挿入固定されたオイル噴射ジェットからオイルを噴射し、それによりピストンを冷却する内燃機関のオイル噴射装置において、
前記オイル噴射ジェットが、前記クランクケースに形成した挿入孔に挿入される円筒ケーシングを有しており、
前記円筒ケーシングの先端部に、該円筒ケーシングの軸線の延長方向から外れた方向に角度を持ってオイルを噴射するオイル噴射孔が設けられると共に、
前記円筒ケーシングの外周に、周方向に前記オイル噴射孔と一定の角度関係を持って配置され、前記円筒ケーシングを前記挿入孔に挿入したときに該挿入孔の内周に形成された位置決め凹部または凸部と係合することで前記円筒ケーシングを周方向に位置決めして、それにより前記オイル噴射孔からのオイルの噴射方向を定める位置決め凸部または凹部が設けられていることを特徴とする。
【手続補正２】
【補正対象書類名】明細書
【補正対象項目名】００１６
【補正方法】変更
【補正の内容】
【００１６】
請求項２の発明によれば、複数のシリンダ及びピストンを有する多気筒内燃機関において、オイル噴射ジェットから噴射対象箇所までの距離の条件の異なるシリンダが存在する場合であっても、各シリンダ専用のオイル噴射ジェットをそれぞれ用意することなく、共通のオイル噴射ジェットを使用しながら、各オイル噴射ジェットの噴射方向を、所望の噴射対象箇所に合わせることができる。従って、部品共用化によるコスト削減が図れる。
【手続補正３】
【補正対象書類名】明細書
【補正対象項目名】００２６
【補正方法】変更
【補正の内容】
【００２６】
図１に示されるように、クランク軸２を車幅方向に配置して軸支するクランクケース１０は、クランク軸２を中心にして分割面１０ａで上下に分割されている。上側クランクケース１０Ａの上には、２つのシリンダボア１１ａ（シリンダボアが形成された部分がシリンダであり、シリンダを同符号１１ａで示す）を直列に配列して（図２参照）一体に成形されたシリンダブロック１１と、シリンダブロック１１に締結されたシリンダヘッド１２とが、順に重ねられて幾らか前方に傾いて立設されている。シリンダヘッド１２の上には、シリンダヘッドカバー１３が被せられて締結されている。
【手続補正４】
【補正対象書類名】明細書
【補正対象項目名】００３２
【補正方法】変更
【補正の内容】
【００３２】
なお、吸気ポート３３の上流側開口３３ａにはスロットルボディ３７が連結され、その上流に図示しない吸気管を介してエアクリーナが連結されている。また、排気ポート３５の下流側開口３５ａには、図示しない排気管を介してマフラが連結されている。各吸気弁３２および各排気弁３４は、シリンダヘッド１２に回転可能に軸支される吸気カム軸３８および排気カム軸３９により、クランク軸２の回転に同期して開閉駆動される。そのために、各カム軸３８、３９には、右端部にカムスプロケット３８ａ、３９ａが嵌着され、クランク軸２の右端部近傍に装着される駆動スプロケット２３と、カムスプロケット３８ａ、３９ａとの間にカムチェーン４０が掛け渡され（図２、図３参照）、クランク軸２の半分の回転速度で回転駆動される。
【手続補正５】
【補正対象書類名】明細書
【補正対象項目名】００４６
【補正方法】変更
【補正の内容】
【００４６】
バランサ軸７０には、一対の壁部をなす左端側ジャーナル壁１５ＡＬと右端側ジャーナル壁１５ＡＲとの間で、一方の壁部である左端側ジャーナル壁１５ＡＬの内面に対峙するようにバランサ従動ギヤ７２が取り付けられており、また、軸方向においてクランク軸２の２箇所のクランクピン部２２と一致する位置に、２気筒に即して１８０度位相をずらした計２個のバランスウエイト７３を備えている。
【手続補正６】
【補正対象書類名】明細書
【補正対象項目名】００４７
【補正方法】変更
【補正の内容】
【００４７】
クランク軸２には、一対の壁部をなす左端側ジャーナル壁１５ＡＬ、１５ＢＬと右端側ジャーナル壁１５ＡＲ、１５ＢＲとの間で、一方の壁部である左端側ジャーナル壁１５ＡＬ、１５ＢＬの内面に対峙するように、４つのクランクウエブ４８のうちの左端側クランクウエブ４８Ｌの左側面に隣接してバランサ駆動ギヤ７４が嵌着されている。
【手続補正７】
【補正対象書類名】明細書
【補正対象項目名】００４８
【補正方法】変更
【補正の内容】
【００４８】
＜オイル噴射装置＞
また、この内燃機関１には、図４〜図６に示すように、各シリンダボア１１ａ内を往復運動するピストン３Ａ、３Ｂに対して、オイルを噴射（図４〜図６中の矢印Ｐでオイルの噴射を示す）するオイル噴射装置が装備されている。このオイル噴射装置は、各ピストン３Ａ、３Ｂのクランクケース１０側に臨む裏側前方部分に向けて、上側クランクケース１０Ａのジャーナル壁１５Ａに形成した挿入孔１１０に挿入固定されたオイル噴射ジェット１２０から、オイルを噴射してピストン３Ａ、３Ｂを冷却するものであり、オイル噴射ジェット１２０は、各シリンダ１１ａのピストン３Ａ、３Ｂに対応して２つ設けられている。
【手続補正書】
【提出日】平成27年1月26日(2015.1.26)
【手続補正１】
【補正対象書類名】特許請求の範囲
【補正対象項目名】請求項１
【補正方法】変更
【補正の内容】
【請求項１】
以下の（a）〜（c）：
（a） 一般式（Ｉ）で示される構成単位及び一般式（ＩＩ）で示される構成単位を必須構成単位として含む、オルガノポリシロキン、並びに一般式（ＩＩＩ）で示される構成単位を必須構成単位として含むオルガノポリシロキサンからなる群から選択される一種または二種以上のオルガノポリシロキサンで被覆された微粒子金属酸化物
（b） Ａ領域の紫外線を吸収する紫外線吸収剤
（c） Ｂ領域の紫外線を吸収する紫外線吸収剤
を含有することを特徴とする乳化形化粧料。
【化１】
2013170130.tif 000001
（式中、Ｒ１，Ｒ２は、それぞれ独立して炭素数１〜３の低級アルキル基またはフェニル基を表す。ただし、Ｒ１，Ｒ２の少なくともどちらか一方はフェニル基である。）
【化２】
2013170130.tif 000002
（式中、Ｒ３は炭素数１〜３の低級アルキル基又はフェニル基を表し、Ｒ４は水素原子を表す。）
【化３】
2013170130.tif 000003
（式中、Ｒ５はフェニル基を表し、Ｒ６は水素原子を表す。）
【手続補正書】
【提出日】平成27年2月17日(2015.2.17)
【手続補正１】
【補正対象書類名】明細書
【補正対象項目名】００４８
【補正方法】変更
【補正の内容】
【００４８】
図６に示す蓄冷材容器(40)の場合、蓄冷材容器(16)の両容器形成板(24)における外方膨出部(25)の第１部分(25a)の膨出頂壁外面に、後方に向かって下方に傾斜しかつ冷媒流通管(13)の長手方向と非平行な複数の溝(41)が相互に平行になるように間隔をおいて形成されている。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
蒸気使用機器で発生した復水を所定の復水回収先へ回収する復水回収装置であって、
前記蒸気使用機器の出口側にスチームトラップを接続し、
前記スチームトラップの出口をエゼクタの吸込室に接続し、
前記エゼクタのノズル部を、駆動流体を供給する駆動流体供給管と接続し、
前記駆動流体供給管に差圧弁を配置し、
前記差圧弁の一次圧検出管路の端部を、蒸気使用機器の内部、又は、蒸気使用機器へ蒸気を供給する蒸気供給管と接続し、
前記差圧弁の二次圧検出管路の端部を、前記スチームトラップの出口側と前記エゼクタの吸込室との間に接続した復水回収装置。
【請求項２】
前記差圧弁は、前記一次圧検出管路の蒸気圧力が、前記二次圧検出管路の蒸気圧力よりも低くなった場合に開弁して前記エゼクタへ前記駆動流体を供給する、請求項１に記載の復水回収装置。
【手続補正書】
【提出日】平成27年2月24日(2015.2.24)
【手続補正１】
【補正対象書類名】明細書
【補正対象項目名】０００４
【補正方法】変更
【補正の内容】
【０００４】
一方、例えば、リチウムイオン電池の電極は、ロール状の集電体金属箔を巻き戻して電極材料を塗布することにより連続的に製造される。従って、このストリップ状の電極をＸ線透過イメージングで異物検出する際には、電極をコンベアで連続的にＸ線源とセンサとの間に搬送させて検出を行っている（特許文献１）。又、ストリップ状のシートをＸ線透過イメージングで異物検出する際に、エアーベアリングで搬送する技術も開発されている（特許文献２）。
【手続補正２】
【補正対象書類名】明細書
【補正対象項目名】０００５
【補正方法】変更
【補正の内容】
【０００５】
【特許文献１】特開2004-061479号公報（図４）
【特許文献２】特開2011-069641号公報
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
少なくとも高圧翼列および低圧翼列を有する単車室型蒸気タービンであって、
前記高圧翼列が収納される高圧室と、
前記低圧翼列が収納される低圧室と、
前記高圧室および前記低圧室を連結するとともに、前記高圧室および前記低圧室の内部空間を密封する伸縮継手と、
ロータ軸方向における前記単車室型蒸気タービンの車室の位置を調節するための位置調節手段とを備えることを特徴とする単車室型蒸気タービン。
【請求項２】
前記位置調節手段は、前記高圧室の位置を調節可能に構成されたことを特徴とする請求項１に記載の単車室型蒸気タービン。
【請求項３】
前記位置調整手段は、
前記高圧室の車室サポート部に取り付けられ、該車室サポート部をロータ軸方向に沿って、互いに逆方向に押し動かす一対の油圧シリンダと、
前記一対の油圧シリンダに油圧を供給する油圧装置と、
前記一対の油圧シリンダ及び前記油圧装置の間に設けられ、前記油圧が供給される油圧シリンダを切り替える切替弁とを含むことを特徴とする請求項２に記載の単車室型蒸気タービン。
【請求項４】
前記蒸気タービンの前記ロータと前記高圧室との熱伸び差を検出する検出手段と、
前記検出手段による熱伸び差の検出結果に基づいて前記位置調整手段を制御する制御手段とをさらに備えることを特徴とする請求項２又は３に記載の単車室型蒸気タービン。
【請求項５】
前記ロータは、前記蒸気タービンの車室の外部において、軸径が一定でないテーパ面を有し、
前記検出手段は、前記ロータの前記テーパ面までの距離を計測するセンサを含むことを特徴とする請求項４に記載の単車室型蒸気タービン。
【請求項６】
発電機、請求項１に記載の単車室型蒸気タービン、ガスタービンがこの順に連結された一軸型コンバインドサイクル発電装置であって、
前記ガスタービンと前記蒸気タービンとの間にスラスト軸受を設け、該スラスト軸受に近い側から前記高圧室、前記低圧室の順で前記蒸気タービンの車室を配列し、前記低圧室をアンカーによって固定したことを特徴とする一軸型コンバインドサイクル発電装置。
【請求項７】
前記位置調節手段は、前記高圧室の位置を調節可能に構成されたことを特徴とする請求項６に記載の一軸型コンバインドサイクル発電装置。
【請求項８】
発電機、請求項１に記載の単車室型蒸気タービン、ガスタービンがこの順に連結された一軸型コンバインドサイクル発電装置であって、
前記ガスタービンと前記蒸気タービンとの間にスラスト軸受を設け、該スラスト軸受に近い側から前記低圧室、前記高圧室の順で前記蒸気タービンの車室を配列するとともに、ロータ軸方向における前記高圧室の位置を調節する前記位置調整手段を設け、前記低圧室をアンカーによって固定したことを特徴とする一軸型コンバインドサイクル発電装置。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
ブレーキ液の通路を形成する流体ブロックと、前記流体ブロックに形成された通路を連通または遮断する制御を行う電磁弁と、前記電磁弁を駆動制御する電子制御ユニットとを少なくとも備えるブレーキ液圧制御装置において、
前記電磁弁は、弁カートリッジと、コイル構造体からなり、
前記弁カートリッジは、シールエレメントを有するプランジャーと、前記シールエレメントが着座する弁座と、前記プランジャーを収納する筒状の弁インサートと、前記弁インサートの外周に配置され固定されたカバーディスクを備え、
前記コイル構造体は、前記プランジャーを駆動するための磁気回路を形成するコイルと、前記コイルを囲むコイルハウジングを備え、
前記カバーディスクはその外周の一部に前記コイルハウジングが嵌入可能な第１の環状部と、前記第１の環状部と同心に設けられた第２の環状部を有し、前記第２の環状部は前記流体ブロックに形成された凹部に嵌入され固定されていることを特徴とする、ブレーキ液圧制御装置。
【請求項２】
請求項１に記載のブレーキ液圧制御装置の製造方法であって、
前記カバーディスクの第２の環状部を前記流体ブロックに形成された凹部に嵌入し、その後に前記コイルハウジングを前記カバーディスクの第１の環状部に嵌入することを特徴とする、ブレーキ液圧制御装置の製造方法。
【請求項３】
請求項１に記載のブレーキ液圧制御装置の製造方法であって、
前記コイルハウジングを前記カバーディスクの第１の環状部に嵌入し、その後に前記カバーディスクの第２の環状部を前記流体ブロックに形成された凹部に嵌入することを特徴とするブレーキ液圧制御装置の製造方法。
【請求項４】
前記コイルハウジングの前記流体ブロック側の端部に挟持部を有し、前記電子制御ユニットのハウジングの一部が前記挟持部と前記流体ブロックの間で挟まれることによって、前記電子制御ユニットが前記流体ブロックに固定されていることを特徴とする、請求項１に記載のブレーキ液圧制御装置。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
液体が噴射するノズルを有するノズルプレートと、
前記ノズルプレートの前記液体が噴射される吐出面に当接して前記ノズルプレートを保持する固定板と、を備え、
前記吐出面に当接する前記固定板の端部と前記吐出面とが形成する段差部に、前記段差部をスロープ状に形成する固化材が付設されていることを特徴とする液体噴射ヘッド。
【請求項２】
液体が噴射するノズルが設けられたノズルプレートを有するヘッドユニットと、
複数の前記ヘッドユニットを保持する固定板と、を備え、
前記固定板の端部と、前記ノズルプレートの前記液体が噴射される吐出面とが形成する段差部に、前記段差部をスロープ状に形成する固化材が付設されていることを特徴とする液体噴射ヘッド。
【請求項３】
前記吐出面に撥水膜が形成されていることを特徴とする請求項１または請求項２に記載の液体噴射ヘッド。
【請求項４】
前記吐出面の前記固化材が付設されている領域には、撥水膜が形成されていないことを特徴とする請求項３に記載の液体噴射ヘッド。
【請求項５】
前記固化材は、前記撥水膜と前記固定板の端部とが形成する前記段差部をスロープ状に形成することを特徴とする請求項４に記載の液体噴射ヘッド。
【請求項６】
前記固化材が液状エポキシ接着系剤であることを特徴とする請求項１ないし請求項５のいずれか一項に記載の液体噴射ヘッド。
【請求項７】
請求項１ないし請求項６のいずれか一項に記載の液体噴射ヘッドを備えることを特徴とする液体噴射装置。
【手続補正２】
【補正対象書類名】明細書
【補正対象項目名】０００６
【補正方法】変更
【補正の内容】
【０００６】
［適用例１］本適用例にかかる液体噴射ヘッドは、液体が噴射するノズルを有するノズルプレートと、前記ノズルプレートの前記液体が噴射される吐出面に当接して前記ノズルプレートを保持する固定板と、を備え、前記吐出面に当接する前記固定板の端部と前記吐出面とが形成する段差部に、前記段差部をスロープ状に形成する固化材が付設されていることを特徴とする。
［適用例２］また、本適用例にかかる液体噴射ヘッドは、液体が噴射するノズルが設けられたノズルプレートを有するヘッドユニットと、複数の前記ヘッドユニットを保持する固定板と、を備え、前記固定板の端部と、前記ノズルプレートの前記液体が噴射される吐出面とが形成する段差部に、前記段差部をスロープ状に形成する固化材が付設されていることを特徴とする。
【手続補正３】
【補正対象書類名】明細書
【補正対象項目名】０００８
【補正方法】変更
【補正の内容】
【０００８】
［適用例３］上記適用例にかかる液体噴射ヘッドにおいて、前記吐出面に撥水膜が形成されていることを特徴とする。
【手続補正４】
【補正対象書類名】明細書
【補正対象項目名】００１０
【補正方法】変更
【補正の内容】
【００１０】
［適用例４］上記適用例にかかる液体噴射ヘッドにおいて、前記吐出面の前記固化材が付設されている領域には、撥水膜が形成されていないことを特徴とする。
【手続補正５】
【補正対象書類名】明細書
【補正対象項目名】００１２
【補正方法】変更
【補正の内容】
【００１２】
［適用例５］上記適用例にかかる液体噴射ヘッドにおいて、前記固化材は、前記撥水膜と前記固定板の端部とが形成する前記段差部をスロープ状に形成することを特徴とする。
本適用例によれば、段差にて発生する液体溜まりを抑制することができるとともに、液体吐出面の拭き取り性が向上する。
［適用例６］上記適用例にかかる液体噴射ヘッドにおいて、前記固化材が液状エポキシ接着系剤であることを特徴とする。
【手続補正６】
【補正対象書類名】明細書
【補正対象項目名】００１４
【補正方法】変更
【補正の内容】
【００１４】
［適用例７］本適用例にかかる液体噴射装置は、上記適用例に記載の液体噴射ヘッドを備えることを特徴とする。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
遊技球を発射する発射手段と、
発射された遊技球が案内される遊技領域と、
前記遊技領域内に配置された始動入球手段と、
前記始動入球手段への遊技球の入球に起因して第１の当選確率で第１当否抽選を行う第１抽選手段と、
前記始動入球手段への遊技球の入球に起因して、前記第１の当選確率より高い第２の当選確率で第２当否抽選を行う第２抽選手段と、
前記遊技領域を流下する遊技球が入球可能な開状態と、遊技球が入球不能な閉状態との間で変位可能な少なくとも１つの開閉部材を有した特定入球手段と、
前記第１当否抽選により当選結果が得られた場合に、遊技者に有利な第１特別遊技状態を発生させる第１特別遊技状態発生手段と、
前記第２当否抽選により当選結果が得られた場合に、前記第１特別遊技状態よりも遊技者に有利でない第２特別遊技状態を発生させる第２特別遊技状態発生手段と、
前記第１特別遊技状態又は前記第２特別遊技状態が発生した場合において、前記特定入球手段を開閉制御する特定開閉制御手段と、
前記始動入球手段への遊技球の一入球に基づき、当該始動入球手段に対応して予め設定された１個の賞球の払出処理を実行し、前記特定入球手段への遊技球の一入球に基づき、当該特定入球手段に対応して予め設定された所定個数の賞球の払出処理を実行する払出制御手段とを備えた遊技機。
【請求項２】
遊技球を発射する発射手段と、
発射された遊技球が案内される遊技領域と、
前記遊技領域のうち、少なくとも第１の領域を通過するように前記発射手段によって発射された遊技球が到達可能な位置において、当該遊技球が入球可能に設けられた第１始動入球手段と、
前記遊技領域のうち、少なくとも第２の領域を通過するように前記発射手段によって発射された遊技球が到達可能な位置において設けられ、所定開放条件が成立している場合に、遊技球が入球不能又は入球困難な閉状態と、遊技球が入球可能又は入球容易な開状態との間で変位可能な少なくとも１つの開閉部材を有した第２始動入球手段と、
前記第１始動入球手段又は第２始動入球手段への遊技球の入球に起因して第１の当選確率で第１当否抽選を行う第１抽選手段と、
前記第２始動入球手段への遊技球の入球に起因して、前記第１の当選確率より高い第２の当選確率で第２当否抽選を行う第２抽選手段と、
変動表示を行った後、前記第１始動入球手段への遊技球の入球に起因した前記第１当否抽選の抽選結果に基づく特定態様で停止表示を行う第１表示手段と、
変動表示を行った後、前記第２始動入球手段への遊技球の入球に起因した前記第１当否抽選又は前記第２当否抽選の抽選結果に基づく特定態様で停止表示を行う第２表示手段と、
前記第２の領域を通過するように前記発射手段によって発射された遊技球のみが到達可能な位置に設けられると共に、当該第２の領域を流下する遊技球が入球可能な開状態と、遊技球が入球不能な閉状態との間で変位可能な少なくとも１つの開閉部材を有した特定入球手段と、
前記第１当否抽選により当選結果が得られた場合に、遊技者に有利な第１特別遊技状態を発生させる第１特別遊技状態発生手段と、
前記第２当否抽選により当選結果が得られた場合に、前記第１特別遊技状態よりも遊技者に有利でない第２特別遊技状態を発生させる第２特別遊技状態発生手段と、
前記第１特別遊技状態又は前記第２特別遊技状態が発生した場合において、前記特定入球手段を開閉制御する特定開閉制御手段と、
前記第１始動入球手段への遊技球の一入球に基づき当該第１始動入球手段に対応して予め設定された所定個数の賞球の払出処理を実行し、前記第２始動入球手段への遊技球の一入球に基づき当該第２始動入球手段に対応して予め設定された１個の賞球の払出処理を実行し、前記特定入球手段への遊技球の一入球に基づき当該特定入球手段に対応して予め設定された所定個数の賞球の払出処理を実行する払出制御手段とを備えた遊技機。
【請求項３】
前記遊技機は、パチンコ機であることを特徴とする請求項１又は２に記載の遊技機。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
遊技球を発射する発射手段と、
発射された遊技球が案内される遊技領域と、
前記遊技領域内に配置された始動入球手段と、
前記始動入球手段への遊技球の入球に起因して第１の当選確率で第１当否抽選を行う第１抽選手段と、
前記始動入球手段への遊技球の入球に起因して、前記第１の当選確率より高い第２の当選確率で第２当否抽選を行う第２抽選手段と、
前記遊技領域を流下する遊技球が入球可能な開状態と、遊技球が入球不能な閉状態との間で変位可能な少なくとも１つの開閉部材を有した特定入球手段と、
前記第１当否抽選により当選結果が得られた場合に、遊技者に有利な第１特別遊技状態を発生させる第１特別遊技状態発生手段と、
前記第２当否抽選により当選結果が得られた場合に、前記第１特別遊技状態よりも遊技者に有利でない第２特別遊技状態を発生させる第２特別遊技状態発生手段と、
前記第１特別遊技状態又は前記第２特別遊技状態が発生した場合において、当該第１特別遊技状態又は第２特別遊技状態に応じた所定の開閉パターンで前記特定入球手段を開閉制御する特定開閉制御手段と、
前記始動入球手段への遊技球の一入球に基づき、当該始動入球手段に対応して予め設定された１個の賞球の払出処理を実行し、前記特定入球手段への遊技球の一入球に基づき、当該特定入球手段に対応して予め設定された所定個数の賞球の払出処理を実行する払出制御手段とを備え、
前記特定入球手段の開閉パターンの異なる複数の前記第１特別遊技状態を発生可能に構成すると共に、
前記複数の第１特別遊技状態のうちの所定の第１特別遊技状態に係る前記特定入球手段の開閉パターンの開始当初の態様と、前記第２特別遊技状態に係る前記特定入球手段の開閉パターンの態様とが同一となっていることを特徴とする遊技機。
【請求項２】
遊技球を発射する発射手段と、
発射された遊技球が案内される遊技領域と、
前記遊技領域内に配置された始動入球手段と、
前記始動入球手段への遊技球の入球に起因して第１の当選確率で第１当否抽選を行う第１抽選手段と、
前記始動入球手段への遊技球の入球に起因して、前記第１の当選確率より高い第２の当選確率で第２当否抽選を行う第２抽選手段と、
前記遊技領域を流下する遊技球が入球可能な開状態と、遊技球が入球不能な閉状態との間で変位可能な少なくとも１つの開閉部材を有した特定入球手段と、
前記第１当否抽選により当選結果が得られた場合に、遊技者に有利な第１特別遊技状態を発生させる第１特別遊技状態発生手段と、
前記第２当否抽選により当選結果が得られた場合に、前記第１特別遊技状態よりも遊技者に有利でない第２特別遊技状態を発生させる第２特別遊技状態発生手段と、
前記第１特別遊技状態又は前記第２特別遊技状態が発生した場合において、当該第１特別遊技状態又は第２特別遊技状態に応じた所定の開閉パターンで前記特定入球手段を開閉制御する特定開閉制御手段と、
前記始動入球手段への遊技球の一入球に基づき、当該始動入球手段に対応して予め設定された１個の賞球の払出処理を実行し、前記特定入球手段への遊技球の一入球に基づき、当該特定入球手段に対応して予め設定された所定個数の賞球の払出処理を実行する払出制御手段とを備え、
前記特定入球手段の開閉パターンの異なる複数の前記第１特別遊技状態を発生可能に構成すると共に、
前記複数の第１特別遊技状態のうちの所定の第１特別遊技状態に係る前記特定入球手段の開閉パターンの開始当初の態様が、前記第２特別遊技状態に係る前記特定入球手段の開閉パターンの態様よりも遊技者にとって不利な態様となっていることを特徴とする遊技機。
【請求項３】
前記遊技機は、パチンコ機であることを特徴とする請求項１又は２に記載の遊技機。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
所定の契機により、遊技者に有利な特別遊技状態を発生させるか否かの当否抽選を行う抽選手段と、
変動表示を行った後、前記当否抽選の抽選結果に基づく所定態様で停止表示を行う抽選結果表示手段と、
前記当否抽選により当選結果が得られた場合に、前記特別遊技状態を発生させる特別遊技状態発生手段とを備えた遊技機であって、
前記特別遊技状態の終了後の遊技モードとして、少なくとも通常モードよりも遊技者に有利な複数の特定モードのうちのいずれかを、前記特別遊技状態の種別に応じて所定期間付与可能な特定モード付与手段と、
前記抽選結果表示手段の変動表示に合せて、前記当否抽選の抽選結果に基づく表示演出を行う演出表示手段と、
前記抽選結果表示手段における変動表示の実行回数を特定可能な変動回数特定手段と、
前記演出表示手段にて行う演出態様を決定する演出態様決定手段とを備え、
前記演出態様決定手段は、
前記演出態様の決定に用いられる演出決定カウンタと、
前記抽選手段による抽選結果と、前記所定の契機に起因して取得される前記演出決定カウンタの値とに基づき、複数の演出態様から一つの演出態様を決定するための演出態様決定テーブルを複数記憶した演出態様決定テーブル記憶手段とを備え、
前記演出態様決定テーブル記憶手段に記憶された複数の演出態様決定テーブルの中からいずれかの演出態様決定テーブルを参照して一つの演出態様を決定するものであり、
前記複数の特定モードのうちのいずれが付与されている場合であっても、少なくとも所定条件が成立した場合においては、同一の演出態様決定テーブルを参酌して演出態様を決定することを特徴とする遊技機。
【請求項２】
前記複数の特定モードは、それぞれ前記特別遊技状態の終了から、前記抽選結果表示手段における変動表示の実行回数が規定変動回数に達した場合に終了する終了期限付きの遊技モードであることを特徴とする請求項１に記載の遊技機。
【請求項３】
前記遊技機は、パチンコ機であることを特徴とする請求項１又は２に記載の遊技機。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
遊技球を発射する発射手段と、
発射された遊技球が案内される遊技領域と、
前記遊技領域のうち、少なくとも第１の領域を通過するように前記発射手段によって発射された遊技球が到達可能な位置において、当該遊技球が入球可能に設けられた第１始動入球手段と、
前記遊技領域のうち、少なくとも第２の領域を通過するように前記発射手段によって発射された遊技球が到達可能な位置において、当該遊技球が入球可能に設けられた第２始動入球手段と、
前記第１始動入球手段又は第２始動入球手段への遊技球の入球に起因して所定の当選確率で当否抽選を行う抽選手段と、
変動表示を行った後、前記第１始動入球手段への遊技球の入球に起因した前記当否抽選の抽選結果に基づく特定態様で停止表示を行う第１表示手段と、
変動表示を行った後、前記第２始動入球手段への遊技球の入球に起因した前記当否抽選の抽選結果に基づく特定態様で停止表示を行う第２表示手段と、
前記第２の領域を通過するように前記発射手段によって発射された遊技球のみが到達可能な位置に設けられると共に、当該第２の領域を流下する遊技球が入球可能な開状態と、遊技球が入球不能な閉状態との間で変位可能な少なくとも１つの開閉部材を有した特定入球手段と、
前記当否抽選により当選結果が得られた場合に、遊技者に有利な特別遊技状態を発生させる特別遊技状態発生手段と、
前記特別遊技状態が発生した場合において、前記特定入球手段を開閉制御する特定開閉制御手段と、
前記第１始動入球手段への遊技球の入球に起因した前記当否抽選の抽選結果を記憶し、当該抽選結果に基づき前記第１表示手段にて実行される変動表示を、すでに実行されている変動表示の終了後まで待機させる第１保留手段と、
前記第２始動入球手段への遊技球の入球に起因した前記当否抽選の抽選結果を記憶し、当該抽選結果に基づき前記第２表示手段にて実行される変動表示を、すでに実行されている変動表示の終了後まで待機させる第２保留手段とを備え、
前記第２保留手段において、前記特別遊技状態を発生させる旨の前記当否抽選の抽選結果が記憶されている場合に、その旨を事前に報知又は示唆可能な報知手段とを備えたことを特徴とする遊技機。
【請求項２】
少なくとも前記第１保留手段により保留された変動表示の保留数を表示可能な第１保留表示手段と、
少なくとも前記第２保留手段により保留された変動表示の保留数を表示可能な第２保留表示手段とを備え、
前記報知手段は、少なくとも前記第２保留表示手段における表示態様を変更することにより、前記報知又は示唆を行うことを特徴とする請求項１に記載の遊技機。
【請求項３】
前記遊技機は、パチンコ機であることを特徴とする請求項１又は２に記載の遊技機。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
所定の契機により、遊技者に有利な特別遊技状態を発生させるか否かの当否抽選を行う抽選手段と、
前記当否抽選により当選結果が得られた場合に、前記特別遊技状態を発生させる特別遊技状態発生手段とを備えた遊技機であって、
第１の遊技状態を判別するための第１判別値と、
第２の遊技状態を判別するための第２判別値と、
前記第１判別値と第２判別値を所定演算式に基づいて演算する演算処理を行う演算手段と、
前記演算処理により得られた演算値を遊技状態判定値として取得する判定値取得手段と、
前記遊技状態判定値に基づき、所定の制御を実行する実行手段とを備えたことを特徴とする遊技機。
【請求項２】
所定の情報を含んだデータを複数の前記遊技状態判定値に対応して複数記憶したデータ記憶手段を備え、
前記実施手段は、所定の前記遊技状態判定値に対応する所定の前記データが記憶されたデータ記憶手段内のアドレスを、所定の基準アドレスを基に、前記遊技状態判定値をオフセット値として特定することを特徴とする請求項１に記載の遊技機。
【請求項３】
前記遊技機は、パチンコ機であることを特徴とする請求項１又は２に記載の遊技機。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
遊技者の遊技操作に対応して遊技動作を進行させるメイン処理と、所定時間毎にメイン処理を中断させて実行される割込み処理と、を有し、前記遊技操作として、複数の回転体を停止させる停止操作が許容される遊技機であって、
プログラム処理によって書換え可能な管理情報を、メイン処理と割込み処理が適宜に設定又は参照することで、停止操作を受けた回転体が所定の抽選処理の抽選結果に基づく態様で停止可能に構成され、
前記メイン処理は、
遊技者による遊技開始の遊技操作を認識した後、正方向の起動回転から定常回転に至る回転体の正常回転を開始させるべく、前記管理情報を第１値に設定する第１手段と、
定常回転中の回転体に対する有効な停止操作を認識した後、前記抽選結果に基づいて停止位置を決定し、適宜なタイミングで、前記管理情報を第３値に設定する第２手段と、を有して構成され、
前記割込み処理は、
前記制御情報が第１値に設定されたことに基づいて、回転体の回転速度を漸次加速させる起動回転の後、回転体を定常回転させる第３手段と、
第３手段の後、前記制御情報が第３値に設定されたことに基づいて、所定位置で回転体を停止させ、その後の所定時間、同一の励磁状態を維持する第４手段と、を有して構成されていることを特徴とする遊技機。
【請求項２】
前記第２手段は、回転中の回転体の慣性力に基づいて、前記停止位置に余裕のあるタイミングで前記管理情報を第３値に設定する請求項１に記載の遊技機。
【手続補正２】
【補正対象書類名】明細書
【補正対象項目名】０００５
【補正方法】変更
【補正の内容】
【０００５】
このような動作を実現する制御動作のうち、特に問題になるのは、制御時間に余裕がなく、且つ、誤動作が許されない停止制御である。すなわち、ストップボタンのＯＮ操作から所定の回転角度の範囲内で、内部抽選処理の当選結果に対応する図柄を停止させる必要があるので、迅速な処理が要求される一方、ストップボタン操作を誤認して不自然な停止制御を実行したのでは遊技者に大きな不信感を与えてしまう。
【手続補正３】
【補正対象書類名】明細書
【補正対象項目名】０００６
【補正方法】削除
【補正の内容】
【手続補正４】
【補正対象書類名】明細書
【補正対象項目名】０００８
【補正方法】変更
【補正の内容】
【０００８】
上記の目的を達成するため、本発明は、遊技者の遊技操作に対応して遊技動作を進行させるメイン処理と、所定時間毎にメイン処理を中断させて実行される割込み処理と、を有し、前記遊技操作として、複数の回転体を停止させる停止操作が許容される遊技機であって、プログラム処理によって書換え可能な管理情報を、メイン処理と割込み処理が適宜に設定又は参照することで、停止操作を受けた回転体が所定の抽選処理の抽選結果に基づく態様で停止可能に構成され、前記メイン処理は、遊技者による遊技開始の遊技操作を認識した後、正方向の起動回転から定常回転に至る回転体の正常回転を開始させるべく、前記管理情報を第１値に設定する第１手段と、定常回転中の回転体に対する有効な停止操作を認識した後、前記抽選結果に基づいて停止位置を決定し、適宜なタイミングで、前記管理情報を第３値に設定する第２手段と、を有して構成され、前記割込み処理は、前記制御情報が第１値に設定されたことに基づいて、回転体の回転速度を漸次加速させる起動回転の後、回転体を定常回転させる第３手段と、第３手段の後、前記制御情報が第３値に設定されたことに基づいて、所定位置で回転体を停止させ、その後の所定時間、同一の励磁状態を維持する第４手段と、を有して構成されている。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
上記した本発明に係る遊技機によれば、停止制御動作を適切に実現することができる。
【手続補正１４】
【補正対象書類名】明細書
【補正対象項目名】０１４５
【補正方法】変更
【補正の内容】
【０１４５】
そして、制御中フラグＦ０＝１であって、回胴制御フラグＦＧ１〜ＦＧ３がＦＧｊ＝０１Ｈの状態では（つまり、リール演出中でなくＦ１がＦ１＝０、制御中フラグＦ０がＦ０＝１）、ステップＳＰ３４以下の処理が実行され、リール変数ｊで規定される１バイト長の回胴制御フラグＦＧｊについて、回胴停止中フラグＦ７と、回胴起動中フラグＦ６と、回胴起動済みフラグＦ５と、停止ボタン検出フラグＦ４と、停止命令フラグＦ３の値が、この順番に判定される（ＳＰ３４〜ＳＰ３８）。
【手続補正１５】
【補正対象書類名】明細書
【補正対象項目名】０１６９
【補正方法】変更
【補正の内容】
【０１６９】
そのため、その後のタイマ割込み処理では、毎回、ステップＳＰ３４→ＳＰ３５→ＳＰ３６→ＳＰ３７→ＳＰ３８の経路で判定処理が進む。そして、停止命令フラグＦ３の値が判定される。ストップボタン１８のＯＮ操作後は、内部抽選状態の当り図柄を有効ラインに停止させる制御、或いは、外れ図柄を停止させる制御が、メイン処理の回胴停止処理（ＳＴ９）における図柄停止制御処理（図１２のＳＴ４４）において実行される。そして、停止させるべき図柄が有効ラインに達した段階で、停止命令フラグＦ３がＦ３＝１にセットされるよう構成されている。なお、高速回転である定常回転中の回転リールの慣性力を考慮して、回転停止までに余裕のあるタイミングで停止命令フラグＦ３＝１となる。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
超音波プローブと、
前記超音波プローブを介して被検体に対して、前記被検体の血流の流速値の時間変化を表すドプラ波形を表示するためのドプラモード及び当該ドプラモード以外の他のモードの各々に対応する超音波を送信する送信処理部と、
前記被検体からの超音波反射波を、走査面に関するエコー信号として前記超音波プローブを介して受信する受信処理部と、
前記エコー信号に基づいて前記ドプラモード及び前記他のモードの各々の画像を生成する超音波画像生成部と、
前記ドプラモード及び前記他のモードの各々の画像を同時に表示する表示部と、
前記走査面に対応する前記被検体の血流の拍動性を検出する検出部と、
前記検出された拍動性の度合いに応じて、前記ドプラモードに対応する超音波の送信と前記他のモードに対応する超音波の送信との割合を変更する制御部と
を具備することを特徴とする超音波診断装置。
【請求項２】
前記検出部は、前記検出された拍動性の度合いに応じて、前記走査面に対応する前記被検体の血流が拍動流であるか定常流であるかを判別し、
前記制御部は、前記拍動流であると判別された場合、前記ドプラモードに対応する超音波の送信の割合を増加させ、前記定常流であると判別された場合、前記ドプラモードに対応する超音波の送信の割合を減少させる
ことを特徴とする請求項１記載の超音波診断装置。
【請求項３】
前記検出部は、前記ドプラ波形によって示される流速値の時間変化をトレースし、単位時間あたりの流速値の変化量が予め定められた値以上であるか否かに基づいて前記拍動性を検出する
ことを特徴とする請求項１記載の超音波診断装置。
【請求項４】
前記他のモードは、前記被検体のＢモード画像を表示するためのＢモードを含み、
前記検出部は、前記Ｂモード画像のフレーム間の相関に応じて前記拍動性を検出する
ことを特徴とする請求項１記載の超音波診断装置。
【請求項５】
前記他のモードは、前記被検体のカラードプラモード画像を表示するためのカラーモードを含み、
前記検出部は、前記カラーモードにおいて得られるドプラ偏移周波数の時間的変化に応じて前記拍動性を検出する
ことを特徴とする請求項１記載の超音波診断装置。
【請求項６】
前記拍動性の度合いに対応づけて前記ドプラモードに対応する超音波の送信と前記他のモードに対応する超音波の送信との割合を予め保持するテーブルを更に具備し、
前記制御部は、前記ドプラモードに対応する超音波の送信と前記他のモードに対応する超音波の送信との割合を、前記検出された拍動性の度合いに対応づけて前記テーブルに保持されている割合に変更する
ことを特徴とする請求項１記載の超音波診断装置。
【請求項７】
前記他のモードは、前記被検体のＢモード画像を表示するためのＢモード及び前記被検体のカラードプラモード画像を表示するためのカラーモードを含み、
前記制御部は、前記Ｂモードの繰り返し周波数、並列同時受信、前記カラーモードの繰り返し周波数、並列同時受信、アンサンブル数を変更することによって、前記ドプラモードに対応する超音波の送信と前記他のモードに対応する超音波の送信との割合を変更する
ことを特徴とする請求項１記載の超音波診断装置。
【請求項８】
前記検出部は、検査者からの指示に応じて前記拍動性を検出することを特徴とする請求項１〜７のいずれか１項に記載の超音波診断装置。
【請求項９】
前記検出部は、予め定められた間隔で前記拍動性を検出することを特徴とする請求項１〜７のいずれか１項に記載の超音波診断装置。
【手続補正２】
【補正対象書類名】明細書
【補正対象項目名】００１６
【補正方法】変更
【補正の内容】
【００１６】
本実施形態に係る超音波診断装置は、超音波プローブと、送信処理部と、受信処理部と、超音波画像生成部と、表示部と、検出部と、制御部とを具備する。
【手続補正３】
【補正対象書類名】明細書
【補正対象項目名】００２２
【補正方法】変更
【補正の内容】
【００２２】
制御部は、前記検出された拍動性の度合いに応じて、前記ドプラモードに対応する超音波の送信と前記他のモードに対応する超音波の送信との割合を変更する。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
所定の表示を行う表示手段と、該表示手段の表示面側に設けられ、該表示手段による表
示内容を含む後側の視認可能領域を前側から視認可能とする透光性を有する板状の透明部
材と、前記視認可能領域の左右方向における一方側および上側において前記透明部材の前
後にわたる大きさに形成される周縁表示手段と、前記視認可能領域の前側下部に設けられ
、遊技球の下側を支持する転動面を形成する転動部材と、を備えた遊技機において、
前記透明部材には、前記視認可能領域の左右方向における前記一方側に開口する溝部が
上側の縁部に少なくとも１つ形成されることにより、当該溝部の上側に前記一方側に突出
する係合部が設けられ、
前記周縁表示手段は、
前記透明部材の溝部が入り込み可能であって前記係合部の下側および前記透明部材の前
後に位置して前記透明部材の下側および前後への移動を制限する上側支持部と、
前記透明部材の係合部が前記上側支持部によって支持された状態において、前記視認可
能領域の前記一方側にて前記透明部材の前後に対面し、少なくとも前記透明部材の後側へ
の移動を制限する側方支持部とを有し、
前記透明部材は、前記上側および前記一方側の周縁表示手段に対して、前記透明部材の
板面に沿った前記一方側への移動によって組み付け可能であって、前記上側支持部に上側
が吊られた状態で支持されていることを特徴とする遊技機。
【請求項２】
前記遊技機は、パチンコ遊技機、又は、スロットマシン等の回胴式遊技機であることを特徴とする請求項１記載の遊技機。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
所定の表示を行う表示手段と、該表示手段の表示面側に設けられ、該表示手段による表
示内容を含む後側の視認可能領域を前側から視認可能とする透光性を有する板状の透明部
材と、前記視認可能領域における周縁部の少なくとも一部に設けられ、少なくとも１の文
字、記号若しくは象形物によって構成される表示対象が視認可能領域側に傾いて表示され
る対象表示面を有する周縁表示手段とを備えた遊技機であって、
前記対象表示面は、
前記透明部材の前側に位置し、前記表示対象のうち少なくとも前記視認可能領域側の一
部が不足した表示面を形成する前側表示面と、
前記透明部材の後側に位置し、前記前側表示面において不足した前記視認可能領域側の
一部を前記視認可能領域内に視認可能に形成する後側表示面とを有し、
前記周縁表示手段は、
前記前側表示面における前記視認可能領域側の端縁を形成する部位であって前記透明部
材の表面に対して当接または近接する前側縁部と、
前記後側表示面における前記視認可能領域の縁側の端縁を形成する部位であって前記透
明部材の裏面に対して当接または近接し、前記前側縁部に対して前記透明部材が介在可能
な隙間を隔てて前記透明部材の後側に離間して設けられる後側縁部とを有し、
前記透明部材は、前記前側縁部と前記後側縁部との隙間を通じて前記視認可能領域とは
逆側に延出した形状に形成され、前記透明部材の端面が前記前側表示面の裏側に配置され
ていることを特徴とする遊技機。
【請求項２】
前記遊技機は、パチンコ遊技機、又は、スロットマシン等の回胴式遊技機であることを特徴とする請求項１記載の遊技機。